(57)【要約】  個人用輸送装置は、一対の車輪と、前記一対の車輪のそれぞれに取り付けられた支持構造と、前記支持構造に取り付けられた下部走行体と、を有しているトラックを含むことができる。プラットフォームは、表面又は地面に関連して前記トラックの上方に位置されることができ、前記プラットフォームは、使用者の足を受容するために操作可能になる。個人用輸送装置の移動は、ライダーの旋回運動によって引き起こされることができる。
2011509159.tif 000002
【特許請求の範囲】
【請求項１】
使用者の足を受容するように構成されたプラットフォームであって、ゴムからなる少なくとも１つの着脱可能な層を含んでいるプラットフォームと、
前記プラットフォームに着脱可能に取り付けられたトラックであって、２つの車輪と、前記２つの車輪に取り付けられた支持構造と、前記支持構造に取り付けられた下部走行体と、を有するトラックと、
を備えている個人用輸送装置において、
前記下部走行体は、複数のアームを上向きに延在することによって形成された略Ｖ字状の構成を有し、該複数のアームは、上方向において互いから離隔して分岐し、第１の端部及び第２の端部でそれぞれ終端し、前記第１の端部及び前記第２の端部がストラットとともに互いに接続され、
前記支持構造は、略Ｓ字状の構造を形成している２つの略Ｌ字状のアームを備え、前記略Ｌ字状のアームの各端部は、前記車輪のための軸を受容するために構成された開口部を有し、
前記略Ｌ字状のアームは、前記アームの少なくとも１部に沿った略Ｉ型ビーム状の断面を有し、
前記車軸のそれぞれは、前記支持構造を係合するために構成された第１の軸端部と、前記車軸に車輪を保持するための固定具を受容するために構成された第２の軸端部と、を備えることを特徴とする、個人用輸送装置。
【請求項２】
前記車輪は、直列とされることを特徴とする請求項１に記載の個人用輸送装置。
【請求項３】
前記略Ｓ字状の構造は、その中央に開口間隙を含むことを特徴とする請求項１に記載の個人用輸送装置。
【請求項４】
前記略Ｌ字状のアームは、上部フランジと、下部フランジと、前記上部フランジと前記下部フランジとの間に介在されたウェブと、を有することを特徴とする請求項１に記載の個人用輸送装置。
【請求項５】
前記支持構造は、少なくとも一対のナット及びボルトを含み、前記ボルトは、前記支持構造の前記開口部内に配置されることを特徴とする請求項１に記載の個人用輸送装置。
【請求項６】
使用者の足を受容するように構成されたプラットフォームであって、少なくとも１つの着脱可能な層を含んでいるプラットフォームと、
前記プラットフォームに取り付けられたトラックであって、少なくとも１つの車輪と、前記少なくとも１つの車輪に取り付けられた支持構造と、前記支持構造に取り付けられた下部走行体と、を有するトラックと、
を備えている個人用輸送装置において、
前記下部走行体は、前記プラットフォームに接続され、
前記支持構造は、少なくとも１つのアームを備え、前記少なくとも１つのアームのそれぞれの端部は、前記少なくとも１つの車輪のための車軸を受容するために構成された開口部を有することを特徴とする、個人用輸送装置。
【請求項７】
前記少なくとも１つの着脱可能な層は、ゴムからなることを特徴とする請求項６に記載の個人用輸送装置。
【請求項８】
前記少なくとも１つの車輪は、２つの車輪であることを特徴とする請求項６に記載の個人用輸送装置。
【請求項９】
前記下部走行体は、２つの固定具とともに前記プラットフォームに接続されることを特徴とする請求項６に記載の個人用輸送装置。
【請求項１０】
使用者の足を受容するために構成されたプラットフォームと、
前記プラットフォームに取り付けられたトラックであって、少なくとも１つの車輪と、前記少なくとも１つの車輪に取り付けられた支持構造と、前記支持構造に取り付けられた下部走行体と、を有するトラックと、
を備えている個人用輸送装置において、
前記下部走行体は、固定具を介して前記プラットフォームに接続され、
前記支持構造は、略Ｓ字状の構造を形成している２つの略Ｌ字状のアームを備え、前記略Ｌ字状のアームのそれぞれの端部は、前記少なくとも１つの車輪のための車軸を受容するために構成された開口部を有することを特徴とする、個人用輸送装置。
【請求項１１】
前記車軸は、ボルトを備えることを特徴とする請求項１０に記載の個人用輸送装置。
【請求項１２】
前記ボルトは、ナットによって前記開口部の内側に適所で固定されることを特徴とする請求項１１に記載の個人用輸送装置。
【請求項１３】
前記車軸は、
第１の直径を有している第１の部分と、
前記第１の部分の前記第１の直径より小さい第２の直径を有している第２の部分と、
前記第２の部分の前記第２の直径より小さい第３の直径を有している第３の部分と、
を備え、前記車輪は、前記第２の部分に亘って装着されることを特徴とする請求項１０に記載の個人用輸送装置。
【請求項１４】
前記略Ｌ字状のアームは、別々に形成され、次いで前記個人用輸送装置の組立中に、一緒に接合されることを特徴とする請求項１０に記載の個人用輸送装置。
【請求項１５】
前記略Ｌ字状のアームは、ステンレス鋼からなることを特徴とする請求項１０に記載の個人用輸送装置。
【請求項１６】
前記略Ｌ字状のアームは、前記略Ｌ字状のアームの少なくとも一部に沿った略Ｉ型ビーム状の断面を有することを特徴とする請求項１０に記載の個人用輸送装置。
【請求項１７】
前記略Ｌ字状のアームは、上部フランジと、下部フランジと、前記上部フランジと前記下部フランジとの間に介在されたウェブと、を有することを特徴とする請求項１０に記載の個人用輸送装置。
【請求項１８】
前記プラットフォームは、木材から形成されることを特徴とする請求項１０に記載の個人用輸送装置。
【請求項１９】
前記車輪は、人間の足の略幅で互いから離隔して配置されることを特徴とする請求項１０に記載の個人用輸送装置。
【請求項２０】
使用者の足を受容するために構成されたプラットフォームと、
前記プラットフォームに着脱可能に取り付けられたトラックであって、２つの車輪と、前記２つの車輪に取り付けられた支持構造と、前記支持構造に取り付けられた下部走行体と、を備えるトラックと、
複数のアームを上向きに延在することによって形成された略Ｖ字状の構成を備える前記下部走行体であって、前記複数のアームは、互いから離れて分岐し、且つ第１の端部及び第２の端部でそれぞれ終端する前記下部走行体と、
前記略Ｖ字状の構成の前記第１の端部及び前記第２の端部を直接的に接続するストラットと、
を備えることを特徴とする個人用輸送装置。
【請求項２１】
前記第１の端部及び前記第２の端部は、前記プラットフォームに取り付けるために構成されることを特徴とする請求項２０に記載の個人用輸送装置。
【請求項２２】
前記トラックは、一体式に形成され、前記プラットフォームに着脱可能に取り付けられることを特徴とする請求項２０に記載の個人用輸送装置。
【発明の詳細な説明】
【技術分野】
【０００１】
［関連出願の相互参照］
この出願は、３５  Ｕ．Ｓ．Ｃ．  第１１９条（ｅ）に基づき、２００８年１月８日付けで提出された米国特許仮出願第６１／０１９，７９６号の利益を主張するものであり、該出願は、本願明細書で参照することによって、そのまま組み込まれる。
【０００２】
この出願は、２００６年６月１３日付けで提出された米国特許出願第１０／６１６，９６９号（２００６年６月１３日に許可された米国特許第７，０５９，６１３）の一部係属出願である、２００６年３月２３日付で提出された米国特許出願第１１／３８６，８２２号（米国特許出願公開第２００６−０１８６６１７号明細書）とともに発明者を共有し（shares inventorship with）、且つ前記米国特許出願第１１／３８６，８２２号（米国特許出願公開第２００６−０１８６６１７号明細書）に関連する。米国特許出願公開第２００６−０１８６６１７号明細書及び米国特許第７，０５９，６１３号明細書は、本願明細書で参照することによって、そのまま組み込まれる。
【０００３】
本願発明は、個人用輸送装置（personal transportation device）に向けられる。より具体的には、本願発明は、使用者の単一の足を支持する個人用輸送装置に向けられる。
【背景技術】
【０００４】
いわゆる「エクストリームスポーツ」は、伝統的なモードの運動及びエンターテーメントに代わる、面白く、刺激的で、且つ健康的なものとして人気を急速に得ている。例えば、スケードボード競技会は、定期的に全国で開催され、スポーツの人気は、ゲーム及び映画などのような人気のメディアにまで持ち込まれる。プロスケートボーダーは、現在、様々な製品のための市場及びプロモーション契約を保証するために十分な知名度を有する。同様に、インライスケート、ストリートルージュ、トリック・バイク・ライディング（trick bike riding）は全て、参加における大幅な増加を見ることができる。さらに、多くの「スケートパーク」は、アメリカ合衆国の至る所に建設され、スケート型のスポーツのために特に設計された複数の特徴を含む。
【０００５】
該成長がスポーツ及びエンターテーメントのこの区分において存在し続けるために、新しいエクストリームスポーツは、開発されなければならない。又は、既存のエクストリームスポーツは、改善されなければならない。エクストリームスポーツの関係者は、彼らの技術に挑戦し、且つより興奮を提供するための新しい方法及び新しい装置を既に探している。例えば、スケートボーディングは、平らな表面で操縦することから、ダウンヒルレースまで、ハーフパイプ及び階段の手摺まで、小さな空間内で多様な挑戦を模擬することを目的として建設された（上述の）スケートパークまで進化した。挑戦が進化するにつれて、スケートボードの技術も進化した。単純な２つ車軸で車輪付きの木製の厚板は、高精度のプラスチック製車輪で転がる、コンピュータによって設計された複合板に置き換えられた。より新しいスケートボードでさえ、ライダーを助けるためにサスペンションを含む。
【０００６】
それらの装置が所定の種類の表面上のみに使用されることができるので、スケートボード、インラインスケート、及び同様のものは、所定の制限に遭遇し続ける。一旦、ライダーが彼らの技術を発達させると、彼らは、舗装された表面に事実上制限される。娯楽の使用者のために、これは、地域の法律がスケートボードをすること、ローラースケートをすること、又は他の娯楽活動を禁止するので、極度に制限している場合がある。
【０００７】
一般に、利用可能なエクストリームスポーツ装置及び個人用輸送装置は、曲芸的な動きを制限し、機動性を妨害し、個人用輸送装置における特定の必要性を十分に満たしていない。それらの個人用輸送装置は、ライダーの各足を支持する２つの別個のプラットフォームを有する。個人用輸送装置は、「インラインスケート」と類似である直列型の車輪構成を有する。インラインスケートと異なって、それらの個人用輸送装置は、足のエンクロージャを有していない。同様に、使用者は、インラインスケートの足の位置から約９０°である位置で、直列型の車輪の移動方向に対して略垂直に配置される。
【０００８】
車輪の方向において脚の押し込みを使用して推進されるインラインスケートと異なって、個人用輸送装置は、旋回運動（swivel motion）を使用して推進される。同様に、個人用輸送装置のライダーは、立っており、取り付ける必要がない。
【０００９】
特許文献５は、その図１１〜１３に図示されるように、類似の個人用輸送装置を開示する。そのような個人用輸送装置の一の市販用様態は、前記個人用輸送装置の両方の車輪のために構成された単一の車軸を含む。車軸は、何度も湾曲された単一のロッドで形成され、個人用輸送装置の残りの部分が何度も湾曲された単一のロッド上にアルミニウムで成形される。
【発明の概要】
【課題を解決するための手段】
【００１０】
本願明細書に開示された実施形態の少なくとも１つの態様は、ライダーのための構造的支持及び高められたライダーの経験の両方を提供する個人用輸送装置を有することが所望されるであろうことの認識を含む。
【００１１】
それ故に、実施形態によれば、個人用輸送装置は、使用者の足を受容するように構成されたプラットフォームであって、ゴムからなる少なくとも１つの着脱可能な層を含んでいるプラットフォームと、前記プラットフォームに着脱可能に取り付けられたトラックであって、２つの車輪と、前記２つの車輪に取り付けられた支持構造と、前記支持構造に取り付けられた下部走行体と、を有するトラックと、を備えている。前記下部走行体は、一の側から見る場合に、略Ｖ字状の構成を有することができ、固定具を有するプラットフォームに接続されることができる。前記支持構造は、略Ｓ字状の構造を形成している２つの略Ｌ字状のアームを備えることができ、前記略Ｌ字状のアームの各端部は、前記車輪のための車軸を受容するために構成された開口部を有することができる。前記略Ｌ字状のアームは、前記アームの少なくとも１部に沿った略Ｉ型状の断面を有することができ、車軸はボルトを備えることができる。
【００１２】
本願明細書に開示された実施形態の少なくとも１つの他の態様は、着脱可能で、分離可能なプラットフォーム層が、個人用輸送装置の審美的な外観を変えるための様々な方法と同様に、ライダーにライダーの足のための様々なグリップ表面を提供するとの認識を含む。例えば、外側の状態に応じて、ライダーは、ゴムなどの高摩擦グリップを有する表面を有したいと思う場合がある一方、別の日では、ライダーは、木製のプラットフォーム表面のみを有したいと思う場合がある。
【００１３】
それ故に、ある実施形態によれば、個人用輸送装置は、使用者の足を受容するように構成されたプラットフォームであって、少なくとも１つの着脱可能な層を含んでいるプラットフォームと、前記プラットフォームに取り付けられたトラックであって、少なくとも１つの車輪と、前記少なくとも１つの車輪に取り付けられた支持構造と、前記支持構造に取り付けられた下部走行体と、を有するトラックと、備えることができる。前記下部走行体は、前記プラットフォームに接続され、前記支持構造は、複数のアームを備え、前記複数のアームのそれぞれの端部は、前記少なくとも１つの車輪のための車軸を受容するために構成された開口部を有する。
【００１４】
本願明細書に開示された実施形態の少なくとも１つの他の態様は、前記個人用輸送装置が様々なサイズ及び質量の人々によって使用されることができるとの認識を含む。使用者のための支持を提供するために、前記個人用輸送装置により多くの材料を追加することは、特に、プラットフォームの下により多くの材料を追加することは、より大きい製造費に導く場合がある。プラットフォームの下の軽量で、さらに安定した支持構造は、利点となるであろう。
【００１５】
それ故に、実施形態によれば、個人用輸送装置は、使用者の足を受容するために構成されたプラットフォームと、前記プラットフォームに取り付けられたトラックであって、少なくとも１つの車輪と、前記少なくとも１つの車輪に取り付けられた支持構造と、前記支持構造に取り付けられた下部走行体と、を有するトラックと、を備えることができる。前記下部走行体は、固定具を介して前記プラットフォームに接続され、前記支持構造は、略Ｓ字状の構造を形成している２つの略Ｌ字状のアームを備え、前記略Ｌ字状のアームのそれぞれの端部は、前記少なくとも１つの車輪のための車軸を受容するために構成された開口部を有する。
【００１６】
さらなる他の実施形態によれば、個人用輸送装置は、使用者の足を受容するために構成されたプラットフォームと、前記プラットフォームに着脱可能に取り付けられたトラックであって、２つの車輪と、前記２つの車輪に取り付けられた支持構造と、前記支持構造に取り付けられた下部走行体と、を備えるトラックと、備えることができる。前記下部走行体は、アームを上向きに延在することによって形成された略Ｖ字状の構成を備え、前記アームは、互いから離れて分岐し、且つ第１の端部及び第２の端部でそれぞれ終端し、前記略Ｖ字状の構成の前記第１の端部及び前記第２の端部は、ストラットとともに互いに接続される。
【００１７】
本願実施形態のそれらの特徴及び利点、並びに他の特徴及び利点は、実施形態の添付した図面を参照して、以下の詳細な説明を読んでより明白になるであろう。
【図面の簡単な説明】
【００１８】
【図１Ａ】車軸から取り外された単一の車輪とともに、実施形態に従って構成された個人用輸送装置の底面図である。
【図１Ｂ】個人用輸送装置の右側面図である。
【図１Ｃ】図１Ａの車軸の部分図である。
【図２】個人用輸送装置の分解斜視図である。
【図３Ａ】個人用輸送装置の車軸の上面図である。
【図３Ｂ】図３Ａの車軸の正面図である。
【図３Ｃ】図３Ｂの車軸の断面図である。
【図４Ａ】個人用輸送装置のスケートパッドアセンブリの上面図である。
【図４Ｂ】図４Ａのスケードパッドアセンブリの右側面図である。
【図５Ａ】個人用輸送装置のトラックの上面図である。
【図５Ｂ】図５Ａのトラックの右側面図である。
【図５Ｃ】２つのアームを含んでいる、図５Ａのトラックの一部の上面断面図である。
【図５Ｄ】図５Ａのトラックの正面上部右側か見た斜視図である。
【図５Ｅ】図５Ａのトラックの正面図である。
【図６Ａ】個人用輸送装置の車輪の右側面図である。
【図６Ｂ】図６Ａの車輪の正面図である。
【図６Ｃ】図６Ｂの車輪の断面図である。
【発明を実施するための形態】
【００１９】
改良された個人用輸送装置（personal transportation device）１２（ＰＴＤ１２）は、本願明細書に開示される。本願明細書に開示された実施形態は、本願明細書に記載された実施形態がこの関連で特定の有用性を有するので、一の足のためのプラットフォームを有する２つの車輪を有する単一の輸送装置との関連で記載される。しかしながら、本願明細書の実施形態及び発明は、他の数の車輪及び／又はプラットフォームを有する個人用輸送装置に適用されることもできる。本願明細書に開示されるように、個人用輸送装置は、制限されないが、スケート、スケートボード、及び同様のものなどのスポーツ活動又は運動活動で使用されるそれらの装置を含むことができる。
【００２０】
図１Ａ、図１Ｂ、及び図１Ｃを参照して、個人用輸送装置１２は、プラットフォーム１６と、少なくとも１つの車輪２６と、少なくとも１つの車軸３２と、を備えることができる。車軸３２は、例えば、個人用輸送装置１２の開口部３４（例えば、ねじ山がきられた貫通孔）内に装着するように構成されたボルトを備えることができる。例えばナットなどの固定具３０は、車軸３２に対して車輪２６を固定するために使用されることができる。図１Ｂを参照して、個人用輸送装置１２は、プラットフォーム１６の下に下部走行体を含むことができ、例えば、該下部走行体は、接続フレーム１８、２２を含むことができる。下部走行体は、複数のアーム２４に接続されることができる。接続フレーム１８，２２及び複数のアーム２４の構成は、トラック１９を備えることができる。
【００２１】
図２を参照して、プラットフォーム１６は、２つの下部走行体シャフト４４内にねじ込まれた２つのデッキ固定具４２を使用して、下部走行体に固定されることができる。プラットフォーム１６は、ベース層５４と、デッキ層５２と、スキッド層５６（skid layer）とによって、示されるように、多層状とされることができる。スキッド層５６は、任意とされることができ、且つ個人用輸送装置１２の使用者に改善されたライド体験（riding experience）を提供するために、取り外し可能とされることができる。さらなる他の実施形態において、プラットフォーム２１６は、個人用輸送装置１２によりスケードボードに似た外観を付与するために、部分的又は全体的に木材から形成されることができる。
【００２２】
図３を参照して、且つ上述されるように、個人用輸送装置２１２は、トラック１９に車輪２６を接続するための車軸３２を含むことができる。車軸３２は、３段構成のデザインを有することができ、該３段構成のデザインは、車軸のヘッド６８に隣接した第１のシャフト部分６２と、車輪２６を支持するための第２のシャフト部分６４と、その端部で固定具３０を取り付けるための第３のシャフト部分６６と、を有する。いくつかの実施形態において、第３のシャフト部分６６は、第２のシャフト部分６４より小さな直径又は小さな断面領域を有することができ、第２のシャフト部分６４は、第１のシャフト部分６２より小さな直径又は小さな断面領域を有することができる。固定具３０とともに使用される場合に、そのような構成は、トラック１９のフレーム内で、適所に車輪２６を固定するのを手助けすることができる。車軸３２のそれぞれは、例えば、鉄鋼又は他の適切な材料から形成されることができる。
【００２３】
図４Ａ及び図４Ｂを参照して、且つ上述されるように、プラットフォーム１６は、スキッド層５６と、デッキ層５２と、ベース層５４と、を有することができる。スキッド層５６は、使用者の足をプラットフォームにグリップすることを支援するために、複数のバンプ又は突起を含むことができる。スキッド層５６は、図示されるように、マーキング、エッチング、又は広告をさらに含むことができる。図４Ｂを参照して、２つの下部走行体シャフト４４は、２つのデッキ固定具４２を介して、プラットフォーム１６が下部走行体１８（図示せず）に接続されることを可能にすることができる。
【００２４】
図５Ａ〜図５Ｅを参照して、個人用輸送装置１２及びトラック１９は、車輪を受容するための対向する端点を有する支持構造を有することができ、該支持構造は、端点から中心へ延在する一対の略Ｌ字状のアーム２４を含み、それによって、略Ｌ字状のアームが中心で接合される場合に、略Ｓ字状のビーム支持構造は、形成される。略Ｓ字状の構成は、トラック１９に対する安定性を提供することができる。図面に図示された実施形態は、互いから離隔して（すなわち、直線ではない）間隔をおいて配置された車輪２６を維持するアーム２４を示すけれども、他の実施形態において、車輪２６は、直線状の構成を有することができる。
【００２５】
図５Ａ〜図５Ｅを引き続き参照して、アーム２４は、アームフランジ７２及びアームウェブ７４を有するＩ型ビーム構造（I- beam configuration）を有することができる。Ｉ型ビーム構造は、アーム２４に安定性及び強度を提供することができると同時に、重量及び／又はアーム２４を形成するために必要とされる材料の量を低減することができる。さらに、Ｉ型ビーム構造及び／又はトラック１９の中心で、アーム間隙７６が存在することができ、それによって、製造中に必要とされる材料の量をさらに低減することができる。アーム２４及び／又は下部走行体は、例えば、プラスチック、ステンレス鋼、又は他の適切な材料から形成されることができる。いくつかの実施形態において、アーム２４及び／又は下部走行体は、それに強度を付与するために何度も鉄鋼を曲げることによって、次いでアルミニウム被覆を追加することによって、形成されることができる。さらなる他の実施形態において、アーム２４及び／又は下部走行体は、トラック１９及び個人用輸送装置１２に追加された強度を付与するために、ステンレス鋼から形成されることができる。ステンレス鋼のアーム２４は、１つの部品として形成されることができる、又は次いで組み立てられる複数の部品又は一緒に接続される複数の部品として形成されることができる。さらに、いくつかの実施形態において、インベストメント鋳造法（investment casting process）は、製造中に、生産速度を著しく増加するために使用されることができる。
【００２６】
図５Ｂ及び図５Ｄを参照して、下部走行体は、アーム２４に接続されることができる、及び／又はアーム２４とともに一体に形成されることができる。下部走行体は、アームを延在している状態で略Ｖ字状の構成を有することができ、該アームは、互いから離して分岐し、且つ第１の端部及び第２の端部で終端し、プラットフォーム１６に追加された支持を提供する。少なくともいくつかの実施形態において、略Ｖ字状の構造の側縁は、放射状の輪郭を描くことができる。少なくともいくつかの実施形態において、下部走行体の幅は、プラットフォーム１６より小さくなるように寸法決めされることができ、２つの車輪２６は、一の足の約幅離れて配置されることができる。
【００２７】
いくつかの実施形態において、略Ｖ字状の構成は、第１の端部及び第２の端部を接続しているストラット部分７９をさらに含むことができる。ストラット部分７９は、該装置に追加された安定性を提供することができる。例えば、任意のストラットなしに、生じる拡散力（spreading force）は、ライダーの重量から生じる場合があり、略Ｖ字状の構成の端部が互いから離隔して移動することを引き起こす場合がある。プラットフォーム１６が取り付けられる場合に、そのような拡散力は、プラットフォーム１６自体に作用されることができ、略Ｖ字状の構成の第１の端部及び第２の端部が互いから離隔して拡散することを引き起こし、プラットフォームの変形を引き起こす。ストラット部分７９を備えた場合、拡散力のすべては、プラットフォーム１６自体に作用されるわけではない。
【００２８】
図５Ｂ及び図５Ｄを引き続き参照して、固定具４４は、略Ｖ字状の構成の第１の端部及び第２の端部に位置付けられ、それによって、プラットフォーム１６は、トラック１９から着脱可能である。いくつかの実施形態において、トラック１９は、一体式に形成されることができ、プラットフォーム１６から着脱可能である。
【００２９】
図６Ａ、図６Ｂ、及び図６Ｃを参照して、車輪２６は、円柱状の車輪支持部８０を有することができ、その円柱状の車輪支持部８０の外面は、地面と接触することができ、その円柱状の車輪支持部８０の内面は、スポーク８４に接続されることができる。スポークは、一連のベアリング８２に接続されることができ、該一連のベアリング８２は、車軸３２とスポーク８４との間で回転表面を可能にすることができる。
【００３０】
図１Ａ〜図６Ｃの組み立てられた個人用輸送装置１２は、地面に車輪２６を配置し、且つプラットフォーム１６上にライダーの足を配置することによって、操作されることができる。少なくとも１種類の操作中に、一の個人用輸送装置１２は、使用者の各足の下に配置されることができる。図１Ａを参照して、個人用輸送装置１２の移動方向は、移動ベクトル９０によって示されることができる。足は、足ベクトル９２に沿った方向に配置されることができ、それによって、所定の角度９４を形成することができる。個人用輸送装置１２の移動は、ライダーの旋回運動によって引き起こされることができる。
【００３１】
それらの発明が特定の好ましい実施形態及び例との関連で記載されているけれども、本願発明が、特別に開示された実施形態を超えて他の代替実施形態及び／又は発明の使用、及び明らかな改良、その同等物まで延在することは、当業者によって理解されるであろう。さらに、発明の様々な変形が詳細に示され、且つ記載されるとしても、それらの発明の技術的範囲内にある他の改良は、この開示に基づいて当業者に容易に明白になるであろう。実施形態の特定の特徴及び態様の様々な組み合わせ又はさらに細かい組み合わせが、本願発明の技術的範囲内で行われ、且つその上本願発明の技術的範囲内に含まれることはまた、熟慮される。開示された実施形態の様々な特徴及び態様は、開示された発明の変化しているモードを形成するために、互いと組み合わせられることができる、又は互いのために取り替えられることができることは、理解されるべきである。それ故に、本願明細書に開示された本願発明の少なくともいくつかの技術的範囲が、上述される特に記載された実施形態によって制限されるべきではないことは、意図される。
【符号の説明】
【００３２】
１２  個人用輸送装置
１６  プラットフォーム
１８  接続フレーム
１９  トラック
２２  接続フレーム
２４  アーム
２６  車輪
３０  固定具
３２  車軸
３４  開口部
４２  デッキ固定具
４４  下部走行体シャフト
５２  デッキ層
５４  ベース層
５６  スキッド層
６２  第１のシャフト部分
６４  第２のシャフト部分
６６  第３のシャフト部分
６８  ヘッド
７２  アームフランジ
７４  アームウェブ
７６  アーム間隙
７９  ストラット部分
８０  車輪支持部
８２  ベアリング
８４  スポーク
９０  移動ベクトル
９２  足のベクトル
９３  所定の角度
【図１Ａ】
2011509159.tif 000003
【図１Ｂ】
2011509159.tif 000004
【図１Ｃ】
2011509159.tif 000005
【図２】
2011509159.tif 000006
【図３Ａ】
2011509159.tif 000007
【図３Ｂ】
2011509159.tif 000008
【図３Ｃ】
2011509159.tif 000009
【図４Ａ】
2011509159.tif 000010
【図４Ｂ】
2011509159.tif 000011
【図５Ａ】
2011509159.tif 000012
【図５Ｂ】
2011509159.tif 000013
【図５Ｃ】
2011509159.tif 000014
【図５Ｄ】
2011509159.tif 000015
【図５Ｅ】
2011509159.tif 000016
【図６Ａ】
2011509159.tif 000017
【図６Ｂ】
2011509159.tif 000018
【図６Ｃ】
2011509159.tif 000019
【国際調査報告】
2011509159.tif 000020